(57)【要約】・ホルダ（２）を有し、このホルダが、キャビティ開口（２５０）を有するキャビティ（２５）を備え、支持構造（９）に固定するために設定されており、・１次支持部材（３）を有し、この１次支持部材が、終端部材（３０）を備え、この終端部材が、キャビティ（２５）に対して相補的に形成され、終端部材（３０）をキャビティ開口（２５０）に通して導入してキャビティ（２５）内で静止するように、ホルダ（２）内に引っ掛けるために設定されており、  １次支持部材（３）の終端部材（３０）とホルダ（２）内のキャビティ（２５）の構成が、終端部材（３０）の自由端を下げて終端部材（３０）の姿勢を水平に対して傾斜させた状態で終端部材（３０）をキャビティ開口（２５０）に導入することを前提とし、１次支持部材（３）とホルダ（２）間の所定の引掛けの最終位置に達した時に、終端部材（３０）が、最大の深さでキャビティ（２５）内に挿入されている、物品を展示するための装置において、支持構造（９）への所定の固定時に、キャビティ（２５）を、そのキャビティ開口（２５０）から水平に対して上昇させる。
2013529514.tif 000002
【特許請求の範囲】
【請求項１】
ａ）ホルダ（２）を有し、このホルダが、
ａａ）キャビティ開口（２５０）を有するキャビティ（２５）を備え、
ａｂ）支持構造（９）に固定するために設定されており、
ｂ）１次支持部材（３）を有し、この１次支持部材が、
ｂａ）終端部材（３０）を備え、この終端部材が、キャビティ（２５）に対して相補的に形成され、
ｂｂ）終端部材（３０）をキャビティ開口（２５０）に通して導入してキャビティ（２５）内で静止するように、ホルダ（２）内に引っ掛けるために設定されており、
ｃ）１次支持部材（３）の終端部材（３０）とホルダ（２）内のキャビティ（２５）の構成が、終端部材（３０）の自由端を下げて終端部材（３０）の姿勢を水平に対して傾斜させた状態で終端部材（３０）をキャビティ開口（２５０）に導入することを前提とし、
ｄ）１次支持部材（３）とホルダ（２）間の所定の引掛けの最終位置に達した時に、終端部材（３０）が、最大の深さでキャビティ（２５）内に挿入されている、
物品を展示するための装置において、
ｅ）支持構造（９）への所定の固定時に、キャビティ（２５）が、そのキャビティ開口（２５０）から水平に対して上昇すること、を特徴とする装置。
【請求項２】
ホルダ（２）の支持構造（９）への固定が、支持構造（９）の空所（９２）への挿入によって実現されていること、を特徴とする請求項１に記載の装置。
【請求項３】
ホルダ（２）が、一部材であり、
ａ）キャビティ開口（２５０）を包囲する頸部（２０）と、
ｂ）その外寸の小さい頸部（２０）が取り付いた前面肩部（２６）を有する、軸方向に延在する本体（２１）と、
ｃ）本体（２１）の自由端を構成し、頸部（２０）の反対側に位置する底部（２３）と、
ｄ）本体（２１）の外周に配設ざれた固定輪郭（２４）と、
から成ること、を特徴とする請求項１又は２に記載の装置。
【請求項４】
ホルダ（２）が、更に、本体（２１）の上面に沿って軸方向に延在する拡大部（２２）を備えること、を特徴とする請求項１〜３のいずれか１つに記載の装置。
【請求項５】
ａ）ホルダ（２）が、合成樹脂射出成型部品として製造され、例えばポリアミドから成り、
ｂ）固定輪郭（２４）が、例えば歯として形成されており、
ｃ）キャビティ開口（２５０）が、外方に向かって漏斗状に拡大し、
ｄ）キャビティ（２５）が、底（２３）にまで延在し、拡大部（２２）に向かって円弧状に上昇し、
ｅ）終端部材（３０）が、円弧状に形成されている
こと、を特徴とする請求項１〜４のいずれか１つに記載の装置。
【請求項６】
ａ）ホルダ（２）内のキャビティ（２５）と１次支持部材（３）の終端部材（３０）とが、矩形の横断面を有し、
ｂ）頸部（２０）が、シリンダ状の外周を有する
こと、を特徴とする請求項１〜５のいずれか１つに記載の装置。
【請求項７】
ａ）１次支持部材（３）が、一体的に形成されており、
ｂ）１次支持部材（３）の終端部材（３０）の自由端が、端面（３１）で終わり、
ｃ）１次支持部材（３）が、棒状部分（５）を有し、この棒状部分が、段状の移行部（３２）に接続し、この移行部が、他方で、終端部材（３０）に隣接する
こと、を特徴とする請求項１〜６のいずれか１つに記載の装置。
【請求項８】
ａ）１次支持部材（３）の棒状部分（３５）の自由端に、止め部材であるストッパ（３９）が設けられているか、
ｂ）１次支持部材（３）の棒状部分（３５）が、例えば吊るされるハンガーを間隔を置いて保持するために、上方へと突出する複数の突起（３６）を備えているか、
ｃ）１次支持部材（３）の棒状部分（３５）に、クロスブレース（４２）の形態の２次支持部材（４）が固定されているか、
ｄ）１次支持部材（３）の棒状部分（３５）の自由端に、少なくとも１つの別の１次支持部材（３）によって同時に支持されるクロスバー（４３）の形態の２次支持部材（４）を引っ掛けるためのフック（３８）が設けられているか、
ｅ）少なくとも１つの別の１次支持部材（３）によって同時に支持される棚板（４１）の形態の２次支持部材（４）を収容するために、１次支持部材（３）の棒状部分（３５）の自由端に、止め部材であるストッパ（３９）が設けられ、終端部材（３０）の近傍に爪（３７）が設けられている
こと、を特徴とする請求項１〜７のいずれか１つに記載の装置。
【請求項９】
ａ）ホルダ（２）を挿入固定するための支持構造（９）の空所（９２）が、
ａａ）支持構造（９）の前面（９０）に開口し、ホルダ（２）の頸部（２０）を収容するために設定された貫通部（９２０）と、
ａｂ）支持構造（９）の背面（９１）に開口し、貫通部（９２０）への移行部の前で肩部（９２１）で終わり、ホルダ（２）の本体（２１）を収容するために設定された入口空間（９２２）と、
ａｃ）入口空間（９２２）の上に延在し、ホルダ（２）の拡大部（２２）を収容するために設定された膨出部（９２３）と
から成り、
ｂ）これにより、ホルダ（２）が、その頸部（２０）を先にして、支持構造（９）の背面（９１）から空所（９２）に挿入可能であり、
ｃ）ホルダ（２）が空所（９２）に挿入された状態で、ホルダ（２）の底部（２３）が、特に背面（９１）と同一平面上で終わり、少なくとも、本体（２１）が、空所（９２）とのプレス嵌め部を構成する
こと、を特徴とする請求項２〜８のいずれか１つに記載の装置。
【発明の詳細な説明】
【技術分野】
【０００１】
本発明は、支持構造に挿入するためのホルダと、その終端部材をもってホルダ内に差込み可能な１次支持部材とを有する、物品を展示するための装置に関する。典型的な支持構造は、パネル、後壁及び支柱である。このような装置は、主に、ショップ内で、商品を展示するための展示場で使用される。提供される物品、例えば衣類、アクセサリ、メガネ及び商品パッケージは、１次支持部材に直接吊るすことができる。選択的に、１つ又は複数の１次支持部材が、提供すべき物品を収容する例えば棚板、ボックス、かご、及び横方向支持部材のような種々に構成された２次支持部材を支持するために利用可能である。
【背景技術】
【０００２】
第１のタイプの点結式の懸架装置は、特許文献１に開示されており、ここでは、差込みスリーブ内に空所が設けられて入り、この空所内に、差込みスリーブ内に先ず傾けて導入すべき支持体の差込み部の、直立して突出する固定のロック要素が、水平方向に支持部材を整向した後に係止される。
【０００３】
特許文献２及び特許文献３による別のタイプの点結式の懸架装置の場合は、弾性的に圧入可能なロック要素が、支持部材の差込み部から半径方向に突出し、この差込み部が、差込みスリーブ内に差し込まれた状態で、差込みスリーブ内に配設された空所に係合する。
【０００４】
次のタイプの点結式の懸架装置は、支持部材の差込み部に凹部を有し、この凹部内に、差込みスリーブ内に差し込まれた状態で、差込みスリーブ内に位置するバネ機構が係止される。
【０００５】
特許文献４、特許文献５及び特許文献６には、１つのタイプの懸架装置が記載されており、ここでは、差込みスリーブ内に、隆起したロック要素が設けられており、このロック要素は、先ず傾けて導入すべき支持部材の差込み部の空所に、水平方向に支持部材を整向した後に係合する。
【０００６】
本発明は、同様に、点結式のタイプの懸架装置に取り組む。
【先行技術文献】
【特許文献】
【０００７】
【特許文献１】国際公開第２００６／０８６８９７号パンフレット
【特許文献２】国際公開第９７／２６８０９号パンフレット
【特許文献３】独国実用新案第２０２  ０２  ８５６号明細書
【特許文献４】国際公開第２００７／０７１０７９号パンフレット
【特許文献５】国際公開第２００５／０５５７７４号パンフレット
【特許文献６】独国実用新案第２０  ２００９  ００１号明細書
【発明の概要】
【発明が解決しようとする課題】
【０００８】
この種の点結式の懸架装置から出発して、本発明の根底にある課題は、同様にバネ要素を有しないですみ、安価に大量生産及び組立てが可能な簡素化した装置を提供することにある。
【０００９】
別の課題は、スリーブ状のホルダとその中に差込み可能な１次支持部材から成る装置によって、提供すべき物品を収容する例えば棚板、ボックス、かご及び横方向支持部材のような種々に構成された２次支持部材を支持することにある。
【課題を解決するための手段】
【００１０】
物品を展示するための装置は、ホルダを有し、このホルダは、キャビティ開口を有するキャビティを備え、支持構造に固定するために設定されており、１次支持部材を有し、この一次支持部材は、終端部材を備え、この終端部材は、キャビティに対して相補的に形成され、終端部材をキャビティ開口に通して導入してキャビティ内で静止するようにホルダに引っ掛けるために設定されている。１次支持部材の終端部材とホルダ内のキャビティの構成は、終端部材の自由端を下げて終端部材の姿勢を水平に対して傾斜させた状態で終端部材をキャビティ開口に導入することを前提とする。１次支持部材とホルダ間の所定の引掛けの最終位置に達した時に、終端部材は、最大の深さでキャビティ内に挿入されている。支持構造への所定の固定時に、キャビティは、そのキャビティ開口から水平に対して上昇する。
【００１１】
以下で、装置の特殊な実施形態を説明する：
【００１２】
ホルダの支持構造への固定が、支持構造の空所への挿入によって実現されている。
【００１３】
ホルダは、一部材であり、
ａ）キャビティ開口を包囲する頸部と、
ｂ）その外寸の小さい頸部が取り付いた前面肩部を有する、軸方向に延在する本体と、
ｃ）本体の自由端を構成し、頸部の反対側に位置する底部と、
ｄ）本体の外周に配設ざれた固定輪郭と、
から成る。
【００１４】
ホルダは、更に、本体の上面に沿って軸方向に延在する拡大部を備える。
【００１５】
ホルダは、合成樹脂射出成型部品として製造され、例えばポリアミドから成る。固定輪郭は、例えば歯として形成されている。キャビティ開口は、外方に向かって漏斗状に拡大する。キャビティは、底にまで延在し、拡大部に向かって円弧状に上昇する。終端部材は、円弧状に形成されている。
【００１６】
ホルダ内のキャビティと１次支持部材の終端部材とは、矩形の横断面を有する。頸部は、シリンダ状の外周を有する。
【００１７】
１次支持部材は、一体的に形成されている。１次支持部材の終端部材の自由端は、端面で終わる。１次支持部材は、棒状部分を有し、この棒状部分は、段状の移行部に接続し、この移行部は、他方で、終端部材に隣接する。
【００１８】
１次支持部材の棒状部分の自由端に、止め部材であるストッパが設けられている。選択的に、１次支持部材の棒状部分は、例えば吊るされるハンガーを間隔を置いて保持するために、上方へと突出する複数の突起を備えている。更に、１次支持部材の棒状部分に、クロスブレースの形態の２次支持部材が固定可能である。別の変形例では、１次支持部材の棒状部分の自由端に、少なくとも１つの別の１次支持部材によって同時に支持されるクロスバーの形態の２次支持部材を引っ掛けるためのフックが設けられている。別の形成では、少なくとも１つの別の１次支持部材によって同時に支持される棚板の形態の２次支持部材を収容するために、１次支持部材の棒状部分の自由端に、止め部材であるストッパが設けられ、終端部材の近傍に爪が設けられている。
【００１９】
ホルダを挿入固定するための支持構造の空所は、
ａ）支持構造の前面に開口し、ホルダの頸部を収容するために設定された貫通部と、
ｂ）支持構造の背面に開口し、貫通部への移行部の前で肩部で終わり、ホルダの本体を収容するために設定された入口空間と、
ｃ）入口空間の上に延在し、ホルダの拡大部を収容するために設定された膨出部と
から成る。
これにより、ホルダは、その頸部を先にして、支持構造の背面から空所に挿入可能である。ホルダが空所に挿入された状態で、ホルダの底部は、特に背面と同一平面上で終わり、少なくとも、本体が、空所とのプレス嵌め部を構成する。
【図面の簡単な説明】
【００２０】
【図１Ａ】支持構造であるパネル内に挿入されたホルダとその中に差し込まれた１次支持部材から成る本発明による装置を有する模範的な構成の斜視図
【図１Ｂ】図１Ａによる構成の正面図
【図１Ｃ】図１Ａによる構成の側面図
【図２Ａ】ホルダの正面からの斜視図
【図２Ｂ】図２Ａによるホルダの背面からの斜視図
【図２Ｃ】図２Ａによるホルダの側面図
【図２Ｄ】図２Ａによるホルダの正面図
【図２Ｅ】ホルダの図２Ｄの切断線Ａ−Ａによる垂直断面図
【図２Ｆ】ホルダの図２Ｄの切断線Ｂ−Ｂによる水平断面図
【図３Ａ】真直ぐな棒状部分を有する図１Ａの１次支持部材の斜視図
【図３Ｂ】図３ＡのＸ１部の拡大詳細図
【図３Ｃ】図３Ａによる１次支持部材の側面図
【図３Ｄ】折れ曲がった棒状部分と突起の連なりを有する図１Ａの１次支持部材の斜視図
【図３Ｅ】真直ぐな棒状部分と、２次支持部材である棚板を支持するための終端部材の近傍の爪を有する図１Ａの１次支持部材の斜視図
【図３Ｆ】反った棒状部分と、その上に固定された、２次支持部材であるクロス部レースを有する１次支持部材の斜視図
【図３Ｇ】真直ぐな棒状部分と、２次支持部材であるクロスバーを支持するための自由端のフックを有する１次支持部材の斜視図
【図４】２次部材であるクロスバーの斜視図
【図５Ａ】空所の領域の、図１Ａによる支持構造の一部の背面図
【図５Ｂ】図５Ａの切断線Ｃ−Ｃによる空所を通る支持構造の垂直断面図
【図６Ａ】ホルダが、その頸部を先にして空所に軸方向に一直線に並ぶように接近させ、支持構造の前面に、支持具が当接されている、図２Ａによるホルダの支持構造の空所内への挿入の工程の３つの段階の内の初期段階
【図６Ｂ】ホルダが空所内に部分的に押し込まれている、図２Ａによるホルダの支持構造の空所内への挿入の工程の３つの段階の内の中間段階
【図６Ｃ】ホルダが、空所内の所定の最終位置に押し込まれ、支持具が取り外されている、図２Ａによるホルダの支持構造の空所内への挿入の工程の３つの段階の内の最終段階
【図７Ａ】１次支持部材が、傾けられ、終端部材が水平に対して下げられて、ホルダのキャビティ開口に接近させられている、図３Ａによる１次支持部材を図６Ｃによる支持構造内に挿入されたホルダに引っ掛ける工程の２つの位置の内の初期位置
【図７Ｂ】図７ＡのＸ２部の拡大詳細図
【図７Ｃ】一時支持部材が、水平にホルダ内に引っ掛けられ、１次支持部材の終端部材が、ホルダのキャビティ内に最大の深さで位置する、図３Ａによる１次支持部材を図６Ｃによる支持構造内に挿入されたホルダに引っ掛ける工程の２つの位置の内の最終位置
【図７Ｄ】図７ＣのＸ３部の拡大詳細図
【発明を実施するための形態】
【００２１】
添付図に関係させて、以下で、異なった適用のための構成のバリエーションを有する本発明による装置の実施例の詳細な説明を行なう。
【００２２】
説明全体に対して、以下の決め事を適用する。図には、作図上の明瞭さのために符号が含まれているが、直接付属する説明文内で説明されていない場合は、先行又は後続の図の説明において述べたことを参照されたい。部品が“繰り返されている”ことが、作図上一義的に識別可能である場合には、明瞭さのため、別の図内の部品の繰返しの符号による指示は、大抵省略する。
【００２３】
・図１Ａ〜１Ｃ
パネルとして供給される支持構造９の模範的に図示した装備において、この支持構造は、前面９０と背面９１に向かって開口する空所９２のラスターを有する。これら空所９２の幾つかに、真直ぐなアーム又は下に折れ曲がったアームである１次支持部材３引掛けられている。別のハンガー状の１次支持部材が、クロス部レース４２の形態の２次支持部材４を支持する。同じ高さに位置決めされた２つの１次支持部材３によって、２次支持部材４として棚板４１が支持されている。備え付けられてない空所９２は、覆われておらず、外観上の理由からカバーすることができる穴として見える。空所９２には、この図で見ることができないホルダ２（図２Ａ〜２Ｆ参照）が、１次支持部材３を引掛けるために挿入されている。
【００２４】
・図２Ａ〜２Ｅ
スリーブ上のホルダ２は、一部材であり、先ず、キャビティ開口２５０を包囲する、シリンダ状の外周を有する頸部２０と、その外寸の小さい頸部２０が取り付いた前面肩部２６を有する、軸方向に延在する本体２１とから成る。本体２１の自由端は、頸部２０の反対側に位置する底部２３によって構成される。本体２１の上面に、横断面でアーチ状の拡大部２２が、軸方向に延在する。本体２１の外周と拡大部にわたって、特に歯として形成された固定輪郭２４が延在する。キャビティ開口２５０は、外方に向かって漏斗状に拡大し、キャビティ２５は、矩形の横断面を備え、底部２３にまで延在し、拡大部２２に向かってアーチ状に上昇する。ホルダ２は、合成樹脂射出成型部品として製造され、例えばポリアミドから成る。
【００２５】
・図３Ａ〜３Ｃ
真直ぐな棒状部分３５を有する一体的な１次支持部材３は、横断面が矩形の、アーチ状に形成された終端部材３０を備え、この終端部材は、ホルダ２内のキャビティ２５に対して相補的に形成されている。１次支持部材３の終端部材３０は、その自由端に端面３１を有する。終端部材３０に対して厚くされた棒状部分３５は、段状の移行部３２に接続し、この移行部は、他方で、終端部材３０に隣接する。棒状部分３５の自由端には、止め部材であるストッパ３９が設けられている。
【００２６】
・図３Ｄ〜３Ｆ
１次部材３の折れ曲がった棒状部分３５は、例えば吊るされるハンガーを間隔を置いて保持するために、上方へと突出する複数の突起を備えている（図３Ｄ参照）。最も近いバリエーションでは、棚板４１の形態の２次支持部材４収容するために、１次支持部材３の真直ぐな棒状部分３５の自由端に、止め部材であるストッパ３９が設けられ、終端部材３０の近傍に爪３７が設けられている（図３Ｅ参照）。棚板４１の形態の２次支持部材４を支持するため、それぞれ少なくとも１つの別の同様の１次支持部材３が使用される。選択的な形成では、１次支持部材３の反った棒状部分３５に、クロスブレース４２の形態の２次支持部材４が固定される（図３Ｆ参照）。
【００２７】
・図３Ｇ及び４
１次支持部材３の真直ぐな棒状部分３５の自由端に、クロスバー４３の形態の２次支持部材４を引っ掛けるためのフック３８が設けられており、２次支持部材は、同時に、少なくとも１つの同一に形成された１次支持部材３によって支持されている。２次支持部材４のクロスバー４３の自由端は、それぞれ止め部材であるストッパ４９を備えている。
【００２８】
・図５Ａ及び５Ｂ
ホルダ２を挿入するための支持構造９の空所９２は、
・支持構造９の前面９０に開口し、ホルダ２の頸部２０を収容するために設定された貫通部９２０と、
・支持構造９の背面９１に開口し、貫通部９２０への移行部の前の肩部９２１で終了し、ホルダ２の本体２１を収容するために設定された入口空間９２２と、
・入口空間９２２の上に延在し、ホルダ２の拡大部２２を収容するために設定された膨出部９２３と
から成る。
【００２９】
・図６Ａ〜６Ｃ
この図により、ホルダ２の支持構造９の空所９２内への挿入の原理的な経過が図示されている。
【００３０】
・図６Ａ（初期段階）
ホルダ２は、その頸部２０を先にして、支持構造９の背面９１から空所９２に接近させられる。この場合、ホルダ２の本体２１は、空所９２に対して軸方向の一直線に並ぶ方向に位置決めされ、ホルダ２の拡大部２２は、空所９２の膨出部９２３に対して軸方向の一直線に並ぶ方向に位置決めされている。ホルダ２の空所９２への挿入工程中（実際には背面９１を叩くことによって）、貫通部９２０からの突き抜けを防止するために、前面９０に、支持具８を当接させることができる。
【００３１】
・図６Ｂ（中間段階）
ホルダ２は、その本体２１を空所９２内に部分的に押し込まれている。この場合、本体２１は、部分的に入口空間９２２に位置し、拡大部２２は、膨出部９２３内に侵入している。ホルダ２の頸部２０は、入口空間９２２内で未だ貫通部９２０の前に位置する。ホルダ２の底部２３と、本体２１の隣接部とは、未だ支持構造９の背面９１から突出している。
【００３２】
・図６Ｃ（最終段階）
ホルダ２は、頸部２０、本体２１及び拡大部２２を、完全に支持構造９の空所９２内に押し込まれている。この場合、公差に応じて、ホルダ２の前面肩部２６は、入口空間９２２と貫通部９２０間の肩部９２１にまで前進することができる。頸部２０は、貫通部９２０内に、本体２１は入口空間９２２内に、そして拡大部２２は、膨出部９２３内に位置する。有利なことに、頸部２０の前縁は、最小限だけ、支持構造９の前面９０から突出させ、これにより、１次支持部材３を引っ掛ける際の、突き出た頸部２０の周りの支持構造９の前面９０の表面領域を保護する。ホルダ２の底部２３は、特に背面９１と同一平面上で終わり、本体２１と拡大部２２の表面は、空所９２共に、プレス嵌め部を構成する。支持具８は、支持構造９の前面９０から取り除かれている。
【００３３】
・図７Ａ〜７Ｄ
この図により、真直ぐな棒状部分３５を有する１次支持部材３を支持構造９内に挿入されたホルダ２内に引っ掛ける工程が、原理的に図示される。
【００３４】
・図７Ａ及び７Ｂ（初期位置）
１次支持部材３は、水平に対して下げられたその終端部材３０を先にして、支持構造９の前面９０から空所９２内に挿入されたホルダ２と、そのキャビティ開口２５０に、先ず接近させられている。示した例では、真直ぐな棒状部分３５を有する１次支持部材３が使用されるので、１次支持部材３５全体が、水平に対して傾いた姿勢にあり、即ち、ストッパ３９を有する棒状部分３５の終端部が持ち上げられ、終端部材３０が最も下に位置する。１次支持部材３の終端部材３０とホルダ２内のキャビティ２５の構成は、前面９０に向かって漏斗状に拡大されるキャビティ開口２５０内に終端部材３０を導入する際に、水平に対して傾いた終端部材３０の姿勢を前提とする。１次支持部材３の終端部材３０の端面３１は、徐々にキャビティ開口２５０に接近させられる。
【００３５】
・図７Ｃ及び７Ｄ（最終位置）
キャビティ開口２５０の漏斗形状は、終端部材３０の導入を容易化する。１次支持部材３は、原理的に水平にホルダ２内に引っ掛けられており、１次支持部材３の終端部材３０は、最大の深さで、ホルダ２のキャビティ２５内に位置する。終端部材３０の長さとキャビティ２５の深さの公差が、終端部材３０の更に深い挿入を可能にする場合は、移行部３２とキャビティ開口２５０が、互いに当接するので、１次支持部材３の差込み深さは、いずれにしても制限されており、支持構造９に引っ掛けられる多数の１次支持部材３は、正確な外観を生じさせる。最適なバランスのため、即ち、特に負荷時に、真直ぐな棒状部分３５を有する引っ掛けられる１次支持部材３の終端部材が下方に撓むことを回避するため、例えば１．５°の取付け角が予定され、即ち、棒状部分３５は、空間に突出する自由端に向かって若干上昇する傾向を有する。ホルダ２からの１次支持部材３の取外し工程は、逆のやり方で、棒状部分３５の自由端を徐々に持ち上げ、キャビティ２５から終端部材３０を同時に引き抜くことによって行われる。
【符号の説明】
【００３６】
２        ホルダ
２０      頸部
２１      本体
２２      拡大部
２３      底部
２４      固定輪郭
２５      キャビティ
２５０    キャビティ開口
２６      前面肩部
３        １次支持部材
３０      終端部材
３２      移行部
３５      棒状部分
３７      爪
３８      フック
３９      ストッパ
４        ２次支持部材
４１      棚板
４２      クロスブレース
４３      クロスバー
４９      ストッパ
８        支持具
９        支持構造
９０      前面
９１      背面
９２      空所
９２０    貫通部
９２１    肩部
９２２    入口空間
９２３    膨出部
【図１Ａ】
2013529514.tif 000003
【図１Ｂ】
2013529514.tif 000004
【図１Ｃ】
2013529514.tif 000005
【図２Ａ】
2013529514.tif 000006
【図２Ｂ】
2013529514.tif 000007
【図２Ｃ】
2013529514.tif 000008
【図２Ｄ】
2013529514.tif 000009
【図２Ｅ】
2013529514.tif 000010
【図２Ｆ】
2013529514.tif 000011
【図３Ａ】
2013529514.tif 000012
【図３Ｂ】
2013529514.tif 000013
【図３Ｃ】
2013529514.tif 000014
【図３Ｄ】
2013529514.tif 000015
【図３Ｅ】
2013529514.tif 000016
【図３Ｆ】
2013529514.tif 000017
【図３Ｇ】
2013529514.tif 000018
【図４】
2013529514.tif 000019
【図５Ａ】
2013529514.tif 000020
【図５Ｂ】
2013529514.tif 000021
【図６Ａ】
2013529514.tif 000022
【図６Ｂ】
2013529514.tif 000023
【図６Ｃ】
2013529514.tif 000024
【図７Ａ】
2013529514.tif 000025
【図７Ｂ】
2013529514.tif 000026
【図７Ｃ】
2013529514.tif 000027
【図７Ｄ】
2013529514.tif 000028
【国際調査報告】
2013529514.tif 000029
2013529514.tif 000030
2013529514.tif 000031
2013529514.tif 000032